(57)【要約】【課題】圧力取出配管の強度を補強確保するダイアフラムシール付き伝送器にを実現する。【解決手段】受圧ダイアフラムが取り付けられる受圧ダイアフラムブロックを具備するダイアフラムシール付き伝送器において、前記受圧ダイアフラムブロックに一端が取り付けられ他端が大地に固定される固定手段を具備したことを特徴とするダイアフラムシール付き伝送器である。【選択図】図１
2007322264.tif 000002
【特許請求の範囲】
【請求項１】
受圧ダイアフラムブロックを具備するダイアフラムシール付き伝送器において、
前記受圧ダイアフラムブロックに一端が取り付けられ他端が大地に固定される固定手段
を具備したことを特徴とするダイアフラムシール付き伝送器。
【請求項２】
前記固定手段は、前記受圧ダイアフラムブロックに設けられた支柱挿入穴と、
この支柱挿入穴に一端が挿入され他端が大地に固定される第１の支柱と、
前記受圧ダイアフラムブロックに設けられ前記支柱挿入穴に挿入された前記第１の支柱を前記支柱挿入穴に固定する支柱固定ねじと
を具備したことを特徴とする請求項１記載のダイアフラムシール付き伝送器。
【請求項３】
前記固定手段は、前記受圧ダイアフラムブロックに一端が接続された棒状の連結部と、
この連結部の他端に取り付けられた固定フランジと、
この固定フランジの外周から半径方向に切り欠かれて設けられた固定ボルト取り付け溝と、
この固定フランジにボルト固定される支柱フランジと、
この支柱フランジに一端が固定され他端が大地に固定される第２の支柱と
を具備したことを特徴とする請求項１記載のダイアフラムシール付き伝送器。
【請求項４】
前記支柱の他端は、プラント装置に固定されたこと
を特徴とする請求項１乃至請求項３の何れかに記載のダイアフラムシール付き伝送器。
【請求項５】
前記第１の支柱は、導圧配管が利用されたこと
を特徴とする請求項２記載のダイアフラムシール付き伝送器。
【請求項６】
前記支柱フランジと前記第２の支柱とは、伝送器側フランジと導圧配管とが利用されたこと
を特徴とする請求項３記載のダイアフラムシール付き伝送器。
【発明の詳細な説明】
【技術分野】
【０００１】
本発明は、小形軽量化されたダイアフラムシール付き伝送器を圧力取出配管に直接に取りつける際に圧力取出配管の強度を補強確保するためにダイアフラムシール受圧部に固定手段が設けられたダイアフラムシール付き伝送器に関するものである。
【背景技術】
【０００２】
ダイアフラムシール付き伝送器に関連する先行技術文献としては、次のようなものがある。
【０００３】
【特許文献１】特開平０９−０７９４５２号公報
【０００４】
図３は従来より一般に使用されている従来例の構成説明図である。
図において、２０はプロセス配管に設けられたオリフィス、２１は１５Ａサイズの圧力取出配管、２２はオリフィス側フランジ、２１ａは圧力取出配管２１に設けられたストップ弁である。
【０００５】
３０は差圧伝送器、３１は差圧伝送器３０にプロセス流体を流す導圧配管、３２は伝送器側フランジ、３１ａは差圧伝送器３１のゼロ調を行うための三方弁、３１ｂはドレン弁である。
【発明の開示】
【発明が解決しようとする課題】
【０００６】
このような装置においては、以下の間題点がある。
導圧配管はフランジやねじ込み等配管の接続部が数多くありこれらから圧漏れが発生することがしばしばある。
圧漏れは配管接続では避けることができない宿命でプラント事故等の問題点の一つとなっている。
【０００７】
プロセスには温度により結晶化や硬化するものがある、また導圧配管は通常サイズ１５Ａ程度の配管サイズが用いられているため配管内部の腐食などにより、配管が詰まり圧力が伝わらない現象が生じることがある。
【０００８】
導圧配管工事は人件費の高騰や作業者不足から非常に高額となっている。
特に、温度低下により硬化してしまうようなプロセスには、導圧配管に加熱/保温処理等を行うため極めて高価となってしまう。
【０００９】
ダイアフラムシール付き伝送器では、受圧部までがユニットになっているので、上記のような問題点を解決することが可能である。
しかし、従来の受圧部が大きいものでは重量の点よりオリフィスに近い圧力取出配管に直接取り付けることができない。
【００１０】
近年のダイアフラムシール付き伝送器の小型化の進展により、ダイアフラムシール付き伝送器では小型/重量が軽いをことを利用してオリフィスの近くの圧力取出配管に直接取り付けることが可能になった。
しかし、オリフィスの両側の圧力取出配管２１に直接に取り付けると、オリフィス２０のみがプロセス配管に支持されており、両側の圧力取出配管２１はそれぞれ片持ち支持となる。
【００１１】
このような流量測定配管において、導圧配管を小型化されたダイアフラムシール付き伝送器に置き換えるリプレースを行う際には、オリフィス側フランジ２２と伝送器側フランジ３２とを外し、オリフィス側フランジ２２に小型化されたダイアフラムシール付き伝送器を直接ネジ止め固定し圧力測定をする。
【００１２】
図３従来例に示す如く、オリフィス２０の部分から圧力取出配管２１にて圧力を取り出し、ストップバルブ２１と先端にオリフィス側フランジ２２を設けこのフランジ２２にダイアフラムシール付き伝送器の受圧部分を取りつけるために、圧力取出配管２１の根本部分に各部品の重量×長さのモーメントが働く。
【００１３】
圧力取出配管２１はサイズ１５Ａ程度のパイプが使用され、オリフィス２０よりダイアダイアフラムシール付き伝送器の受圧部分迄の配管が５０〜１００ｃｍ程度の長さとなるため、配管振動などが生じると上記のモーメントと重量に耐えられず破損する可能性がある。
また、リプレースなどにおいては、外した導圧配管３１を除去する必要がありこれを取り除く費用が必要になる。
【００１４】
本発明の目的は、上記の課題を解決するもので、小形軽量化されたダイアフラムシール付き伝送器を圧力取出配管に直接に取りつける際に圧力取出配管の強度を補強確保するためにダイアフラムシール受圧部に固定手段が設けられたダイアフラムシール付き伝送器を提供することにある。
【課題を解決するための手段】
【００１５】
このような課題を達成するために、本発明では、請求項１のダイアフラムシール付き伝送器においては、
受圧ダイアフラムが取り付けられる受圧ダイアフラムブロックを具備するダイアフラムシール付き伝送器において、
前記受圧ダイアフラムブロックに一端が取り付けられ他端が大地に固定される固定手段を具備したことを特徴とする。
【００１６】
本発明の請求項２のダイアフラムシール付き伝送器においては、請求項１記載のダイアフラムシール付き伝送器において、
前記固定手段は、前記受圧ダイアフラムブロックに設けられた支柱挿入穴と、この支柱挿入穴に一端が挿入され他端が大地に固定される第１の支柱と、前記受圧ダイアフラムブロックに設けられ前記支柱挿入穴に挿入された前記第１の支柱を前記支柱挿入穴に固定する支柱固定ねじとを具備したことを特徴とする。
【００１７】
本発明の請求項３のダイアフラムシール付き伝送器においては、請求項１記載のダイアフラムシール付き伝送器において、
前記固定手段は、前記受圧ダイアフラムブロックに一端が接続された棒状の連結部と、この連結部の他端に取り付けられた固定フランジと、この固定フランジの外周から半径方向に切り欠かれて設けられた固定ボルト取り付け溝と、この固定フランジにボルト固定される支柱フランジと、この支柱フランジに一端が固定され他端が大地に固定される第２の支柱とを具備したことを特徴とする。
【００１８】
本発明の請求項４のダイアフラムシール付き伝送器においては、請求項１乃至請求項３の何れかに記載のダイアフラムシール付き伝送器において、
前記支柱の他端は、プラント装置に固定されたことを特徴とする。
【００１９】
本発明の請求項５のダイアフラムシール付き伝送器においては、請求項２記載のダイアフラムシール付き伝送器において、
前記第１の支柱は、導圧配管が利用されたことを特徴とする。
【００２０】
本発明の請求項６のダイアフラムシール付き伝送器においては、請求項３記載のダイアフラムシール付き伝送器において、
前記支柱フランジと前記第２の支柱とは、伝送器側フランジと導圧配管とが利用されたことを特徴とする。
【発明の効果】
【００２１】
本発明の請求項１によれば、次のような効果がある。
重量物であるストップ弁、フランジ、受圧部などが取り付けられた圧力取出配管が片持ち状態から、ダイアフラムシール付き伝送器の固定手段により両端固定となり、振動/荷重などに耐えることができ、圧力取出配管の破損などを防ぐことができるダイアフラムシール付き伝送器が得られる。
【００２２】
ダイアフラムシール付き伝送器の小型化軽量化により、圧力取出配管に直接ダイアフラムシール付き伝送器を取り付け、ダイアフラムシール付き伝送器の固定手段により両端固定が確保できたので、配管の接続箇所が減少でき、測定圧の圧漏れの防止と配管腐食の防止ができるダイアフラムシール付き伝送器が得られる。
【００２３】
本発明の請求項２によれば、次のような効果がある。
固定手段は、受圧ダイアフラムブロックに設けられた支柱挿入穴と、この支柱挿入穴に一端が挿入され他端が大地に固定される第１の支柱と、受圧ダイアフラムブロックに設けられ支柱挿入穴に挿入された支柱を支柱挿入穴に固定する支柱固定ねじとが設けられたので、簡単な構成により両端固定が確保できるダイアフラムシール付き伝送器が得られる。
【００２４】
本発明の請求項３によれば、次のような効果がある。
固定手段は、受圧ダイアフラムブロックに一端が接続された棒状の連結部と、この連結部の他端に取り付けられた固定フランジと、この固定フランジの外周から半径方向に切り欠かれて設けられた固定ボルト取り付け溝と、この固定フランジにボルト固定される支柱フランジと、この支柱フランジに一端が固定され他端が大地に固定される第２の支柱とが設けられたので、フランジ機構により支持されるので、固定が更に確実に確保できるダイアフラムシール付き伝送器が得られる。
【００２５】
本発明の請求項４によれば、次のような効果がある。
前記支柱の他端は、プラント装置に固定されたので、支柱が容易に固定ができるダイアフラムシール付き伝送器が得られる。
【００２６】
本発明の請求項５によれば、次のような効果がある。
第１の支柱は、導圧配管が利用されたので、リプレースなどで残存する導圧配管を支柱として使用でき、新たな支柱などを必要とせず固定でき、安価なダイアフラムシール付き伝送器が得られる。
【００２７】
本発明の請求項６によれば、次のような効果がある。
支柱フランジと第２の支柱とは、伝送器側フランジと導圧配管とが利用されたので、安価なダイアフラムシール付き伝送器が得られる。
【発明を実施するための最良の形態】
【００２８】
以下本発明を図面を用いて詳細に説明する。
図１は本発明の一実施例の要部構成説明図である。
図において、図３と同一記号の構成は同一機能を表す。
以下、図３との相違部分のみ説明する。
【００２９】
図１において、固定手段４は、ダイアフラムシール付き伝送器のダイアフラムシール受圧部分５の受圧ダイアフラム５１が取り付けられる受圧ダイアフラムブロック５２に一端が取り付けられ他端が大地に固定される。
【００３０】
この場合は、固定手段４は、受圧ダイアフラムブロック５２に設けられた支柱挿入穴４１と、この支柱挿入穴４１に一端が挿入され他端が大地に固定される第１の支柱４２と、受圧ダイアフラムブロック５２に設けられて、支柱挿入穴４１に挿入された第１の支柱４２を支柱挿入穴４１に固定する支柱固定ねじ４３とを有する。
【００３１】
５３は受圧ダイアフラムブロック５２に一端が接続されたキャピラリチューブである。
５４は、キャピラリチューブ５３等に封入された封入液である。
なお、支柱４２の他端は、この場合は、プラント装置に固定されている。
また、リプレースなどで導圧配管３１が残っている場合は、伝送器側フランジ３２を取り外した導圧配管３１を支柱４２として利用できる。
【００３２】
以上の構成において、ダイアフラムシール付き伝送器に固定手段４が設けられたので、オリフィス２０より取り出された圧力取出配管２１は片持ち状態から両端固定となり振動/荷重などに耐えることができるようになる。
【００３３】
この結果、
重量物であるストップ弁２１ａ、オリフィス側フランジ２２、ダイアフラムシール付き伝送器の受圧部分５などが取り付けられた圧力取出配管２１が片持ち状態から、ダイアフラムシール付き伝送器の固定手段４により両端固定となり、振動/荷重などに耐えることができ、圧力取出配管２１の破損などを防ぐことができるダイアフラムシール付き伝送器が得られる。
【００３４】
ダイアフラムシール付き伝送器の小型化軽量化により、圧力取出配管２１に直接ダイアフラムシール付き伝送器を取り付け、ダイアフラムシール付き伝送器の固定手段４により両端固定が確保できたので、配管の接続箇所が減少でき、測定圧の圧漏れが防止できるダイアフラムシール付き伝送器が得られる。
【００３５】
固定手段４は、受圧ダイアフラムブロック５２に設けられた支柱挿入穴４１と、この支柱挿入穴４１に一端が挿入され他端が大地に固定される第１の支柱４２と、受圧ダイアフラムブロック５２に設けられ支柱挿入穴４１に挿入された第１の支柱４２を支柱挿入穴４１に固定する支柱固定ねじ４３とが設けられたので、簡単な構成により両端固定が確保できるダイアフラムシール付き伝送器が得られる。
【００３６】
支柱４２の他端は、プラント装置に固定されたので、支柱４２が容易に固定ができるダイアフラムシール付き伝送器が得られる。
【００３７】
第１の支柱４２は、導圧配管３１が利用されると、リプレースなどで残存する導圧配管３１を支柱として使用でき、新たな支柱などを必要とせず固定でき、安価なダイアフラムシール付き伝送器が得られる。
【００３８】
図２は、本発明の他の実施例の要部構成説明図で、（ａ）は正面図、（ｂ）は（ａ）のＡーＡ矢視図である。
図２において、固定手段６は、受圧ダイアフラムブロック５２に一端が接続された棒状の連結部６１と、この連結部６１の他端に取り付けられた固定フランジ６２と、この固定フランジ６２の外周から半径方向に切り欠かれて設けられた固定ボルト取り付け溝６３と、この固定フランジ６２にボルト６４固定される支柱フランジ６５と、この支柱フランジ６５に一端が固定され他端が大地に固定される第２の支柱６６とを有する。
【００３９】
固定ボルト取り付け溝６３は、フランジレーティングによりボルトサークル径が変わるために設けられたものである。
なお、この場合は、支柱６６の他端は、プラント装置に固定されている。
また、リプレースなどで伝送器側フランジ３２と導圧配管３１とが残っている場合には、支柱フランジ６５と第２の支柱６６とは、伝送器側フランジ３２と導圧配管３１とが利用できる。
【００４０】
この結果、
フランジ機構により支持されるので、固定が更に確実に確保できるダイアフラムシール付き伝送器が得られる。
支柱６６の他端は、プラント装置に固定されたので、支柱６６が容易に固定ができるダイアフラムシール付き伝送器が得られる。
【００４１】
支柱フランジ６５と第２の支柱６６とは、伝送器側フランジ３２と導圧配管３１とが利用されると、さらに、安価なダイアフラムシール付き伝送器が得られる。
【００４２】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００４３】
【図１】本発明の一実施例の要部構成説明図である。
【図２】本発明の他の実施例の要部構成説明図である。
【図３】従来より一般に使用されている従来例の構成説明図である。
【符号の説明】
【００４４】
２０    オリフィス
２１    圧力取出配管
２１ａ  ストップ弁
２２    オリフィス側フランジ
３０    差圧伝送器
３１    導圧配管
３１ａ  三方弁
３１ｂ  ドレン弁
３２    伝送器側フランジ
４      固定手段
４１    支柱挿入穴
４２    第１の支柱
４３    支柱固定ねじ
５      ダイアフラムシール受圧部分
５１    受圧ダイアフラム
５２    受圧ダイアフラムブロック
５３    キャピラリチューブ
５４    封入液
６      固定手段
６１    連結部
６２    固定フランジ
６３    固定ボルト取り付け溝
６４    ボルト
６５    支柱フランジ
６６    第２の支柱
【図１】
2007322264.tif 000003
【図２】
2007322264.tif 000004
【図３】
2007322264.tif 000005